(57)【要約】【課題】  画像形成装置でＦＡＸ送信する時、誤送信防止のため、宛先電話番号を２回入力し一致すれば送信動作を行い、不一致なら送信しないという操作手順が存在する。１人で２回宛先電話番号を入力すると思い込みで２回とも間違って入力する可能性がある。このため２人の人がそれぞれ１回目と２回目の宛先電話番号を入力することをルールとしているケースもある。しかし従来は宛先電話番号入力を同時に２人で行えず、順番に１人づつ操作していたため時間がかかってしまうという課題がある。【解決手段】  タッチパネルを有する画像形成装置にオプションテンキーを接続し、ＦＡＸ送信の宛先電話番号を２回入力モードを有効に設定し、同時入力を有効に設定すると、タッチパネルから１回目の宛先電話番号を入力し、オプションテンキーから２回目の宛先電話番号を同時に入力可能とすることを特徴とする。【選択図】  図２
2020188327.tif 000002
【特許請求の範囲】
【請求項１】
テンキー（１１０）が接続され、ＦＡＸ送信の宛先２回入力モードが設定された場合、タッチパネル（１５２）およびテンキー（１１０）から同時に入力を受け付け、タッチパネル（１５２）入力を第１の宛先入力領域（５０３）に反映し、テンキー（１１０）入力を第２の宛先入力領域（５０４）に反映することを特徴とする画像形成装置。
【請求項２】
第１の宛先入力領域（５０３）と第２の宛先入力了領域（５０４）を中心として、テンキー（１１０）の設置位置と反対側にソフトテンキー（６０４）を表示することを特徴とする請求項１に記載の画像形成装置。
【請求項３】
ソフトテンキー（６０４）入力が反映される第１の宛先入力領域（５０３）とソフトテンキー（６０４）の外側を枠で囲んで表示し、かつソフトテンキー（６０４）入力が反映される第１の宛先入力領域（５０３）をソフトテンキー（６０４）側に寄せて表示し、テンキー（１１０）入力が反映される第２の宛先入力領域（５０４）をテンキー（１１０）配置側に寄せて表示することを特徴とする請求項１に記載の画像形成装置。
【請求項４】
不一致番号が入力された瞬間に、警告音を鳴らすことを特徴とする請求項１に記載の画像形成装置。
【請求項５】
ソフトテンキー（６０４）入力音とテンキー（１１０）入力音を異ならせることを特徴とする請求項１に記載の画像形成装置。
【請求項６】
ソフトテンキー（６０４）入力した数値や指示の音声とテンキー（１１０）入力した数値や指示の音声を異ならせることを特徴とする請求項１に記載の画像形成装置。
【請求項７】
ソフトテンキー（６０４）入力時に入力した数値や指示の音声を鳴らす場合テンキー（１１０）入力時に音声では無い入力音を鳴らし、あるいはテンキー（１１０）入力時に入力した数値や指示の音声を鳴らす場合ソフトテンキー（６０４）入力時に音声では無い入力音を鳴らし、音を異ならせることを特徴とする請求項１に記載の画像形成装置。
【発明の詳細な説明】
【技術分野】
【０００１】
本発明は、タッチパネルを用いたソフトキーを有し、かつハードキーを用いたテンキーをオプションとして接続可能な画像形成装置に関する。
【背景技術】
【０００２】
画像形成装置では、各種機能を選択したり、数値を入力するための入力装置が設けられている。この入力装置としては、押圧操作されるハードキーを用いたものと、表示部の画面に重ねられたタッチパネルを備えて表示部にキーを表示し、表示されたキーへのタッチ操作をタッチパネルを通じて検出する、ソフトキーを用いたものがある。
【０００３】
近年、コストダウンのため数値入力用のハードキーいわゆるテンキーをオプションとする画像形成装置も存在する。図６に示すようなオプションテンキー１１０では、ケーブル６０３を画像形成装置本体のＩ／Ｆコネクタへ挿し込み接続することで入力装置として利用することが可能である。そしてオプションテンキー１１０のキーを押下するとキーコードが送られ、数値入力することができる。
【０００４】
ＦＡＸ機能を有する画像形成装置ではＦＡＸ送信の宛先電話番号入力にテンキーを利用することが多く、ユーザが電話番号を間違って入力するとユーザの意図と異なる相手に誤送信してしまう。誤送信防止のため、宛先電話番号を２回入力し一致すれば送信動作を行うという操作手法が特許文献１で示されている。
【先行技術文献】
【特許文献】
【０００５】
【特許文献１】特開平０２−２０００５８号公報
【発明の概要】
【発明が解決しようとする課題】
【０００６】
しかしながら、上記の引用文献１に開示される手法は、タッチパネルを用いたソフトテンキーを有する画像形成装置にハードキーを有するオプションテンキーを接続した時の操作方法の改善については述べておらず、以下の課題を解決する物ではない。
【０００７】
宛先電話番号を２回入力して一致するとＦＡＸ送信するモードを有効にした場合、１人で２回宛先電話番号を入力すると思い込みで２回とも間違って入力する可能性がある。このため２人の人がそれぞれ１回目と２回目の宛先電話番号を入力することをルールとしているケースもある。しかし従来は図１２に示すように画像形成装置の宛先電話番号入力を同時に２人で行えず、順番に１人づつ操作していたため時間がかかってしまうという課題がある。
【課題を解決するための手段】
【０００８】
上記の課題を解決するために、本発明に係る画像形成装置は、
画像形成装置においてテンキーが接続され、ＦＡＸ送信の宛先２回入力モードが設定された場合、タッチパネルおよびテンキーから同時に入力を受け付け、タッチパネル入力を第１の宛先入力領域に反映し、テンキー入力を第２の宛先入力領域に反映することを特徴とする。
【発明の効果】
【０００９】
本発明によれば、画像形成装置のＦＡＸ宛先電話番号２回入力モードを有効にしてオプションテンキーを接続した時に、１回目と２回目の宛先電話番号入力をソフトテンキーとオプションテンキーから別々に同時に入力できるようにする。そうすることで、２人同時にＦＡＸ送信の宛先電話番号入力を行うことができ、操作に要する時間を短くできる操作性に優れた画像形成装置を提供することができる。
【００１０】
また本発明によれば、画像形成装置のオプションテンキーが右側にある機種は、ソフトテンキーを左側に表示するよう制御することで、オプションテンキーとソフトテンキーの距離が離れる。すると押下する箇所が離れるので、２人並んだ時の２人の距離も離れて操作しやすくなり、操作性に優れた画像形成装置を提供することができる。
【００１１】
また本発明によれば、画像形成装置のソフトキー入力が反映される領域とソフトキーを囲みかつ入力反映領域を寄せて表示するよう制御することで２人の内、各自が入力している宛先電話番号を区別しやすくなり、操作性に優れた画像形成装置を提供することができる。
【００１２】
また本発明によれば、画像形成装置の１回目入力と２回目入力の宛先番号が不一致となった瞬間に、警告音を鳴らすよう制御することで不一致となったことをユーザは区別しやすくなり、操作性に優れた画像形成装置を提供することができる。
【００１３】
また本発明によれば、画像形成装置のソフトテンキーで宛先電話番号が入力された時とオプションテンキーで宛先電話番号が入力された時に鳴らす入力音を変えるよう制御する。あるいは入力した数値を通知する音声をの男性の声と女性の声のように変えるよう制御する。そうすることで各自が入力している宛先電話番号を区別しやすくなり、操作性に優れた画像形成装置を提供することができる。
【００１４】
また本発明によれば、画像形成装置のソフトテンキーで宛先電話番号が入力された時は入力番号を音声で通知し、オプションテンキーで宛先電話番号が入力された時は入力音で通知するよう制御する。あるいは画像形成装置のソフトテンキーで宛先電話番号が入力された時は入力音で通知し、オプションテンキーで宛先電話番号が入力された時は入力番号を音声で通知するよう制御する。そうすることで各自が入力している宛先電話番号を区別しやすくなり、操作性に優れた画像形成装置を提供することができる。
【図面の簡単な説明】
【００１５】
【図１】実施例に係る画像形成装置（１０）の内部構成
【図２】実施例に係る画像形成装置（１０）のＦＡＸ送信宛先電話番号入力２回入力モードにおけるＣＰＵ（１０１）の制御を示すフローチャート
【図３】実施例１に係る同時番号入力有効時にてソフトテンキー（６０４）とオプションテンキー（１１０）の同時入力操作を示す画面の一例
【図４】実施例２に係るオプションテンキー（１１０）が右側にある機種でソフトテンキー（６０４）を左側に表示することを示す画面の一例
【図５】実施例３に係る画像形成装置のソフトテンキー（６０４）入力が反映される領域とソフトテンキー（６０４）を囲みかつ入力反映領域を寄せて表示するよう制御することを示す画面の一例
【図６】実施例に係るオプションテンキー（１１０）の外観
【図７】実施例４に係る画像形成装置の１回目入力と２回目入力の宛先番号が不一致となった瞬間に、警告音を鳴らすよう制御することを示す画面の一例
【図８】実施例４に係る画像形成装置の１回目入力と２回目入力の宛先番号が不一致となった瞬間に、警告音を鳴らすＣＰＵ（１０１）の制御を示すフローチャート
【図９】実施例５に係る画像形成装置のソフトテンキー（６０４）で宛先電話番号が入力された時とオプションテンキー（１１０）で宛先電話番号が入力された時の入力音を変えるよう制御することを示す画面の一例
【図１０】実施例６に係る画像形成装置のソフトテンキー（６０４）で宛先電話番号が入力された時は入力番号を音声で通知し、オプションテンキーで（１１０）宛先電話番号が入力された時は入力音で通知するよう制御することを示す画面の一例
【図１１】従来例に係るＦＡＸ送信宛先電話番号入力２回入力モードにてソフトテンキー（６０４）を順番に入力操作することを示す画面の一例
【図１２】従来例に係るＦＡＸ送信宛先電話番号入力２回入力モードにてハードテンキーを順番に入力操作することを示す画面の一例
【発明を実施するための形態】
【００１６】
以下、本発明を実施するための形態について、図面を参照しながら説明する。なお、以下の実施形態は特許請求の範囲に係る発明を限定するものでなく、また実施形態で説明されている特徴の組み合わせの全てが発明の解決手段に必須のものとは限らない。
【００１７】
＜主制御部＞
図１を参照して、画像形成装置１０のハードウェア構成及び画像形成装置１０を制御するＣＰＵ１０１のソフトウェア処理フローの一例について説明する。画像形成装置１０の主制御部１００は、画像を読み取るスキャナ１０８や、画像を印刷するプリンタ１０７や操作部１５０と接続されている。また、主制御部１００は、オプションテンキー１１０や音声操作ユニット１３２をオプションとして接続することができる。主制御部１００は、一方で、ネットワーク２０や公衆回線３０と接続することで、画像情報やデバイス情報の入出力を行う。
【００１８】
ＣＰＵ１０１は、主制御部１００全体を統括的に制御するプロセッサである。例えば、ＣＰＵ１０１は、印刷される画像データの画像処理や、ネットワーク制御を行うほか、上述したプリンタ１０７に印刷の指示を出すことによって印刷処理も制御する。ＲＡＭ１０２は、ＣＰＵ１０１が動作するためのシステムワークメモリであり、画像データを一時記憶するための画像メモリでもある。また、主制御部１００は、ＣＰＵ１０１の指示のもと、ＬＡＮ  Ｉ／Ｆ１０６を介してネットワークに接続された他のＰＣやサーバ（図示せず）と通信することが可能となっている。例えば、主制御部１００は、他のクライアントＰＣから印刷データを受信したりする（ＰＣはPersonal Computer）。
【００１９】
ＲＡＭ１０２は、ＣＰＵ１０１の主メモリや、ワークエリア等として機能する。ＲＡＭ１０２には、主制御部１００内の一時的な設定情報や各処理を行った時のジョブログや操作ログなどが格納される。ＲＯＭ１０３は、ブートＲＯＭであり、システムのブートプログラムが格納されている。ＨＤＤ１０５は、ハードディスクドライブであり、システムソフトウェア、アプリケーション、画像データ、設定情報を格納する。ＣＰＵ１０１はＲＯＭ１０３、ＨＤＤ１０５に格納されたプログラムを実行して画像形成装置１０を制御する。
【００２０】
操作部Ｉ／Ｆ１０４は、後述する操作部１５０への画像データの送信や音声データの送信、表示手段からの各種通信をおこなうものである。また、操作部１５０から本システム使用者が入力した情報をＣＰＵ１０１に伝える役割をする。
【００２１】
主制御部１００内のテンキーＩ／Ｆ１３０にはオプションテンキー１１０を接続し操作入力を行うことが可能である。オプションテンキー１１０はハードキーを有し、テンキーＩ／Ｆ１３０を経由してテンキーＩ／Ｆコネクタ１３０に接続されるオプションである。ユーザがタッチパネル１５２から数値入力や数値消去指示をする代わりに、オプションテンキー１１０をユーザが押下することで数値入力や数値消去指示が可能である。ユーザがタッチパネル１５２からＦＡＸ送信やコピー開始指示を入力する代わりに、オプションテンキー１１０をユーザが押下することで開始指示することが可能である。テンキーＩ／Ｆ１３０としては汎用のＵＳＢや専用のＩ／Ｆを利用することができる。主制御部１００内の音声Ｉ／Ｆ１１３にはオプションの音声操作ユニット１３２を接続し、主制御部に対してユーザが音声を発することで操作指示を行うことが可能である。
【００２２】
ＬＡＮ  Ｉ／Ｆ１０６は、ネットワーク２０に接続し、情報の入出力を行う。ＭＯＤＥＭ（モデム）１０９は公衆回線に接続し、情報の入出力を行う。ＲＴＣ１１４は、リアルタイムクロックであり、主制御部１００に電源が入っていない状態でも現在の時刻をカウントし続ける処理を行う。以上のデバイスがシステムバス１１５上に配置される。
【００２３】
Ｂｕｓ  Ｂｒｉｄｇｅ１１６はシステムバス１１５と画像データを高速で転送する画像バス１１７を接続し、データ構造を変換するバスブリッジである。画像バス１１７は、ＰＣＩバス等の高速バスで構成される。画像バス１１７上には以下のデバイスが配置される。スキャナＩ／Ｆ１１８は、スキャナ１０８を主制御部１００と接続し、画像データの同期系／非同期系の変換を行う。プリンタＩ／Ｆ１１９は、プリンタ１０７を主制御部１００と接続し、画像データの同期系／非同期系の変換を行う。スキャナ画像処理部１２０は、入力画像データに対し補正、加工、編集を行う。プリンタ画像処理部１２１は、ＰＤＬデータをビットマップイメージに展開する処理とプリント出力画像データに対して、プリンタの補正、解像度変換等を行う。圧縮処理部１２２は画像データの圧縮処理を行う。伸長処理部１２３は圧縮された画像データの伸長処理を行う。
【００２４】
＜操作部＞
次に、操作部１５０を構成するハードウェアの一例について説明する。
【００２５】
操作部１５０は、ＬＣＤ１５４に情報を表示するためのデータを転送するバス１６１と、主制御部１００のＣＰＵ１０１と通信を行うためのシリアルバス１６０とで主制御部１００と接続されている（ＬＣＤはLuqid Cyrstal Display）。
マイコン１５１は、操作部１５０全体を統括的に制御するマイクロコンピュータである。マイコン１５１内に搭載されるＲＯＭ（図示せず）には、マイコン１５１のプログラムが格納されている。マイコン１５１はＲＯＭに格納されたプログラムを実行して操作部１５０を制御する。マイコン１５１にはスピーカアンプが内蔵されており、接続されたスピーカ１５８を音声データや所定の周波数で駆動することで音を発生させユーザに通知することができる。
【００２６】
タッチパネル１５２は、後述するＬＣＤ１５４の表面に配置され、ユーザが触れることで、触れた箇所の位置情報を、前記マイコン１５１にタッチパネル通信バス１５６を介して通知するものである。該タッチパネル１５２におけるタッチパネルデバイスとタッチパネルデバイスコントローラとで構成されている。タッチパネルデバイスは、抵抗膜式、静電容量方式、赤外線等の光学式のいずれでもよい。
【００２７】
バス変換部１５３は、前記主制御部１００の操作部Ｉ／Ｆ１０４からバス１６１を介して画像データを受け取り、ＬＣＤ１５４が受け取ることのできるデータフォーマットに変換するモジュールである。例えば、主制御部からは、ＤｉｓｐｌａｙＰｏｒｔやＨＤＭＩ（登録商標）といった規格のデータを受け取り、液晶が受け取ることのできる、ＬＶＤＳやＣＭＯＳレベルの信号フォーマットに変換を行う。ＨＤＭＩはHigh Definition Multimedia Interface）（ＬＶＤＳはLow Voltage Differential Signaling）（ＣＭＯＳはComplementary Metal Oxide Semiconductor）。
【００２８】
また、マイコン１５１とバス１５５で接続されており、主制御部から送られてきた画像データに対して、マイコン１５１で生成された画像データを所定の位置に上書きする機能も有する。
【００２９】
ＬＣＤ１５４は、液晶及びバックライトとで構成されたモジュールであり、前述のバス変換部１５３からのデータを予め決められたタイミング受け取る。この時、バックライトモジュールが発光することで、ＬＣＤ１５４に転送された画像データが、可視画像として表示される。
【００３０】
ユーザがＬＣＤ１５４に表示された画像と同じ領域のタッチパネルに触れると、マイコン１５１は、操作部Ｉ／Ｆ１０４を介してＣＰＵ１０１に対して、操作指示を伝達する。例えば図３に示す数値やスタートやクリアの画像をＬＣＤ１５４に表示し、同じ領域のタッチパネル１５２に触れると、指示を確定させるといったソフトテンキー６０４を構成することができる。マイコン１５１から操作指示を受けとったＣＰＵ１０１は、指示に応じてコピーやファクスやスキャンや設定変更といった動作を行う。ＦＡＸ送信の宛先電話番号入力の数値をタッチパネルから入力するよう構成することが出来る。
【００３１】
オプションテンキー１１０は、数値入力やＦＡＸ送信開始やコピー開始を指示するハードキーとして汎用のＵＳＢあるいは専用のテンキーＩ／ＦでテンキーＩ／Ｆ１３０と接続するオプションである。コストダウンの為、画像形成装置１０に標準では装着されていない。ＵＳＢで接続するよう構成した場合、ＨＩＤ（Human Interface Device）として認識され、押下したキーに応じてキーコードをＣＰＵ１０１へ伝達することで操作指示を行う。専用Ｉ／Ｆで接続するよう構成した場合、押下したキーに応じてキーコードをＣＰＵ１０１へ伝達することで操作指示を行う。図６に示すオプションテンキー１１０を接続して、「４」キー６０２を押下すると数値「４」を入力したことが伝達される。タッチパネル１５２からの入力指示と並行かつ独立して、オプションテンキー１１０の入力を処理することが可能である。
【実施例１】
【００３２】
次に、本発明における実施系について、図３に示すＵＩの一例と図２のＣＰＵ１０１の処理フローチャートをもとに説明する。
【００３３】
Ｓ２０１において主制御部１００は電源オンされＣＰＵ１０１は画像形成装置１０の初期化を完了した状態とする。オプションテンキー１１０をＵＳＢ接続するよう構成した場合、ＣＰＵ１０１はＵＳＢデバイスであるオプションテンキー１１０と通信を行い、ＵＳＢデバイスのＶＩＤ、ＰＩＤ、デバイスクラスなどのデバイスの属性を取得する（ＶＩＤはVendor Identification）（ＰＩＤはProduct Identification）。ＵＳＢデバイスのＶＩＤ、ＰＩＤ、デバイスクラスなどのデバイスの属性がＵＳＢテンキーと一致すれば以後テンキーとして入力処理を行う。オプションテンキー１１０を専用Ｉ／Ｆで接続するよう構成した場合、テンキーＩ／Ｆ１３０はオプションテンキー１１０の制御を行い、以後テンキーとして入力処理を行い、ＣＰＵ１０１へキーコードを伝達する。ユーザがタッチパネル１５２を操作してＦＡＸ送信を指示したことを検知すると、ステップＳ２０２へ移行する。
【００３４】
Ｓ２０２では、ＣＰＵ１０１はＦＡＸ送信の宛先電話番号入力２回入力モードが設定されたかを判定する。（以後２回入力モードと呼ぶことがある。）ＦＡＸ送信を指示する前あるいは後で、操作部１５０のタッチパネル１５２から、上記指示を行うことが可能である。２回入力モードが設定されたと判定すればステップＳ２０３へ移行する。もし２回入力モードが解除された場合、以後ＦＡＸ送信時のＵＩや番号入力の制御は宛先電話番号入力１回入力モードとして制御を行う。２回入力モードが設定されていないと判断すれば、ステップＳ２１９へ移行して終了する（ＵＩはUser Interface）。
【００３５】
Ｓ２１９では、ＦＡＸ送信時のＵＩや番号入力の制御は宛先電話番号入力１回入力モードとして制御を行い、ＦＡＸ送信開始指示があると入力された宛先電話番号へＦＡＸ送信を行い終了する。
【００３６】
Ｓ２０３では、ＣＰＵ１０１はＦＡＸ送信の宛先電話番号入力２回入力モードを有効化する。以後ＦＡＸ送信時のＵＩや番号入力の制御は宛先電話番号入力２回入力モードとなる。そしてステップＳ２０４へ移行する。
【００３７】
Ｓ２０４では、ＣＰＵ１０１は同時番号入力は設定されたかを判定する。操作部１５０のタッチパネル１５２から、上記指示を行うことが可能である。オプションテンキー１１０が未接続であれば同時入力できないので、上記設定はグレーアウトされる等しており、設定することはできない。同時番号入力されていると判断すれば、ステップＳ２０５へ移行する。そうでなければ、ステップＳ２０６へ移行する。
【００３８】
Ｓ２０６では、ＣＰＵ１０１はＦＡＸ送信の宛先電話番号入力２回入力モードでのソフトテンキー及びオプションテンキー同時番号入力処理を無効化して以後の処理を行う。この処理は、２人いてもオプションテンキー１１０を未接続の場合、あるいは１人で操作する場合を想定している。そしてステップＳ２０７へ移行する。
【００３９】
Ｓ２０７からＳ２１２では図１１に示す従来例と同等の宛先電話番号入力２回入力の処理を行う。
【００４０】
Ｓ２０７では、ＣＰＵ１０１はソフトテンキー入力があったかを判定する。ソフトテンキー入力があったと判断するとステップＳ２０８へ移行する。そうでなければ、ステップＳ２０９へ移行する。
【００４１】
Ｓ２０８では、ＣＰＵ１０１は１回目番号入力に反映する処理を行う。ＦＡＸ送信の宛先電話番号は日本だと市外局番を含めて通常１０桁程度である。図１１の上側に示すように数値を１回押下するごとに１回目宛先電話番号入力領域５０３の表示更新及びＲＡＭ１０２に保持する１回目宛先電話番号に１桁づつ追加して反映する。そしてステップＳ２０９へ移行する。
【００４２】
Ｓ２０９では、ＣＰＵ１０１はスタート指示があったかを判定する。ユーザはタッチパネル１５２よりスタート指示を行うことで１回目番号入力が終了したことを指示する。ＣＰＵ１０１はスタート指示があったと判断すると、ＵＩ表示を２回目宛先電話番号入力を促すよう更新して、ステップＳ２１０へ移行する。そうでなければ、ステップＳ２０７へ移行する。
【００４３】
Ｓ２１０では、ＣＰＵ１０１はソフトテンキー入力があったかを判定する。ソフトテンキー入力があったと判断するとステップＳ２１１へ移行する。そうでなければ、ステップＳ２１２へ移行する。
【００４４】
Ｓ２１１では、ＣＰＵ１０１は２回目番号入力に反映する処理を行う。数値を１回押下するごとに図１１の下側に示すように２回目宛先電話番号入力領域５０４の表示更新及びＲＡＭ１０２に保持する２回目宛先電話番号に１桁づつ追加して反映する。そしてステップＳ２１２へ移行する。
【００４５】
Ｓ２１２では、ＣＰＵ１０１はスタート指示があったかを判定する。ユーザはタッチパネル１５２よりスタート指示を行うことで２回目番号入力が終了したことを指示する。ＣＰＵ１０１はスタート指示があったと判断すると、ステップＳ２１３へ移行する。そうでなければ、ステップＳ２１０へ移行する。
【００４６】
Ｓ２１３では、ＣＰＵ１０１はＦＡＸ送信の宛先電話番号入力２回入力処理を終了する。そして、ＲＡＭ１０２に保持した２回分の宛先電話番号を比較し一致すれば上記宛先電話番号へＦＡＸ送信を行う。もし一致しなければＵＩに不一致警告を表示し、ＦＡＸ送信は行わない。
【００４７】
Ｓ２０５は、本発明の特徴となるステップである。Ｓ２０５では、ＣＰＵ１０１はＦＡＸ送信の宛先電話番号入力２回入力モードでのソフトテンキー及びオプションテンキー同時番号入力処理を有効化して以後の処理を行う。上記同時番号入力処理を有効化する際、実施例に応じた処理が追加される。以降の操作は図３のようにユーザ２人が画像形成装置１０を同時に操作してＦＡＸ送信の宛先電話番号を入力することを想定して説明する。１人目がタッチパネル１５２のソフトテンキー６０４を操作して１回目の宛先電話番号入力を行い、２人目がオプションテンキー１１０を操作して２回目の宛先電話番号入力を行う。そしてステップＳ２１４へ移行する。
【００４８】
Ｓ２１４では、ＣＰＵ１０１はソフトテンキー入力があったかを判定する。ソフトテンキー入力があったと判断するとステップＳ２１５へ移行する。そうでなければ、ステップＳ２１６へ移行する。
【００４９】
Ｓ２１５では、ＣＰＵ１０１は１回目番号入力に反映する処理を行う。数値を１回押下するごとに１回目宛先電話番号入力領域５０３の表示更新及びＲＡＭ１０２に保持する１回目宛先電話番号に１桁づつ追加して反映する。そしてステップＳ２１６へ移行する。
【００５０】
Ｓ２１６では、ＣＰＵ１０１はオプションテンキー入力があったかを判定する。オプションテンキー入力があったと判断するとステップＳ２１７へ移行する。そうでなければ、ステップＳ２１８へ移行する。
【００５１】
Ｓ２１７では、ＣＰＵ１０１は２回目番号入力に反映する処理を行う。数値を１回押下するごとに２回目宛先電話番号入力領域５０４の表示更新及びＲＡＭ１０２に保持する２回目宛先電話番号に１桁づつ追加して反映する。そしてステップＳ２１８へ移行する。
【００５２】
Ｓ２１８では、ＣＰＵ１０１はユーザからスタート指示があったかを判定する。１人目のユーザはタッチパネル１５２よりスタート指示を行い、２人目のユーザはオプションテンキー１１０よりスタート指示を行うことで１回目と２回目の宛先番号入力が終了したと判定する。あるいはどちらかのユーザがスタート指示を行った時点で１回目と２回目の宛先番号入力が終了したと判定するよう構成しても良い。あるいはタッチパネル１５２よりスタート指示を行った時点で１回目と２回目の宛先番号入力が終了したと判定するよう構成しても良い。あるいはオプションテンキー１１０よりスタート指示を行った時点で１回目と２回目の宛先番号入力が終了したと判定するよう構成しても良い。ユーザもしくはサービスマンが操作部１５０より、これら上記の宛先番号入力終了の判定条件を設定して、ＨＤＤ１０５に保存する構成としても良い。オプションテンキー１１０にスタート指示のキーが無い場合、自動的にタッチパネル１５２よりスタート指示を行った時点で１回目と２回目の宛先番号入力が終了したと判定するよう構成しても良い。ＣＰＵ１０１はスタート指示があったと判断すると、ステップＳ２１３へ移行する。そうでなければ、ステップＳ２１４へ移行する。
【００５３】
以上の処理により、１回目と２回目の宛先電話番号入力をソフトテンキーとオプションテンキーから別々に同時に入力できるようにする。そうすることで、２人同時にＦＡＸ送信の宛先電話番号入力を行うことができ、操作に要する時間を短くできる操作性に優れた画像形成装置を提供することができる。
【実施例２】
【００５４】
次に、本発明における第２の実施系について、図４に示すＵＩの一例と図２のＣＰＵ１０１の処理フローチャートをもとに説明する。
【００５５】
第２の実施系でも図２のフローチャートは同一であり説明を省略し、第２の実施例で特徴となるＳ２０５のＵＩの一例について説明する。
【００５６】
Ｓ２０５では、ＣＰＵ１０１はＦＡＸ送信の宛先電話番号入力２回入力モードでのソフトテンキー及びオプションテンキー同時番号入力処理を有効化して以後の処理を行う。その際、実施例２では図４のようにオプションテンキーが右側にある機種でソフトテンキーを左側に表示するよう制御することを特徴とする。あるいはオプションテンキーが左側にある機種でソフトテンキーを右側に表示するよう構成しても良い。（図示せず。）機種ごとのメカ構造によりオプションテンキー１１０を右側あるいは左側に取り付けるか固定である場合は、ＨＤＤ１０５にオプションテンキー位置を保存して読み出し判断することで上記の処理が可能である。あるいはユーザもしくはサービスマンが操作部１５０よりオプションテンキー位置を設定して、ＨＤＤ１０５に保存する構成としても良い。ユーザ２人が画像形成装置１０を同時に操作してＦＡＸ送信の宛先電話番号を入力することを想定して説明する。図４では１人目がタッチパネル１５２を操作して１回目の宛先電話番号入力を行い、２人目がオプションテンキー１１０を操作して２回目の宛先電話番号入力を行う。押下する箇所の距離が離れるので、２人並んだ時の２人の距離も離れて操作しやすくなる。
【００５７】
以上の処理により、操作性に優れた画像形成装置を提供することができる。
【実施例３】
【００５８】
次に、本発明における第３の実施系について、図５に示すＵＩの一例と図２のＣＰＵ１０１の処理フローチャートをもとに説明する。
【００５９】
第３の実施系でも図２のフローチャートは同一であり説明を省略し、第３の実施例で特徴となるＳ２０５のＵＩの一例について説明する。
【００６０】
Ｓ２０５では、ＣＰＵ１０１はＦＡＸ送信の宛先電話番号入力２回入力モードでのソフトテンキー及びオプションテンキー同時番号入力処理を有効化して以後の処理を行う。その際、実施例３では図５のように画像形成装置のソフトテンキー入力が反映される１回目宛先電話番号入力領域５０３とソフトテンキー６０４を囲む枠５０１を表示する。かつソフトテンキー入力が反映される１回目宛先電話番号入力領域５０３をソフトテンキー６０４側へ寄せて表示するよう制御することを特徴とする。上記枠５０１は他の箇所と異なる色、例えば緑色で表示する。１回目宛先電話番号入力領域５０３に「宛先」の下に「タッチパネル入力」と表示する。そして図５のように画像形成装置のオプションテンキー１１０の入力が反映される２回目宛先電話番号入力領域５０４を囲む枠５０２を表示しかつ２回目宛先電話番号入力領域５０４をオプションテンキー１１０側へ寄せて表示するよう制御することを特徴とする。上記枠５０２は他の箇所と異なる色、例えば橙色で表示する。２回目宛先電話番号入力領域５０４に「宛先」の下に「オプションテンキー入力」と表示する。
【００６１】
あるいはオプションテンキーが左側にある機種でソフトテンキーを右側に表示して同様の表示制御を行うよう構成しても良い。（図示せず。）ユーザ２人が画像形成装置１０を同時に操作してＦＡＸ送信の宛先電話番号を入力することを想定して説明する。図５では１人目がタッチパネル１５２を操作して１回目の宛先電話番号入力を行い、２人目がオプションテンキー１１０を操作して２回目の宛先電話番号入力を行う。ソフトテンキーを押下する箇所と反映される領域を枠で囲んでかつ寄せて表示しているので、１人目のユーザは自分の押下する箇所と反映される領域を容易に認識できるようになる。オプションテンキーの入力が反映される領域を枠で囲んで、オプションテンキー側に寄せて表示しているので、２人目のユーザも自分の押下する箇所と反映される領域を容易に認識できるようになる。以上の処理により、操作性に優れた画像形成装置を提供することができる。
【実施例４】
【００６２】
次に、本発明における第４の実施系について、図７に示すＵＩの一例と図２、図８のＣＰＵ１０１の処理フローチャートをもとに説明する。
【００６３】
第４の実施系ではＳ２０１からＳ２１３のフローチャートは同一であり、Ｓ２１４からＳ２１８は異なっている。Ｓ２１９は同一である。図２に示すＳ２０５の後のＡで図８のＡに移行し、図８に示すＳ８１１の後のＢで図２のＳ２１３に移行する点が異なる。同一である部分は説明を省略し、異なっている箇所のみ図８のフローチャートを用いて説明する。同時に図７に示すＵＩの一例について説明する。
【００６４】
Ｓ２０５では、ＣＰＵ１０１はＦＡＸ送信の宛先電話番号入力２回入力モードでのソフトテンキー及びオプションテンキー同時番号入力処理を有効化して以後の処理を図８のＡの後のステップＳ８０１に移行する。その際、実施例４では図７のように画像形成装置の１回目入力と２回目入力の宛先番号が不一致となった瞬間に、警告音を鳴らすよう制御するために図８のフローチャートへ移行することを特徴とする。
【００６５】
Ｓ８０１では、ＣＰＵ１０１はソフトテンキー入力があったかを判定する。ソフトテンキー入力があったと判断するとステップＳ８０２へ移行する。そうでなければ、ステップＳ８０６へ移行する。
【００６６】
Ｓ８０２では、ＣＰＵ１０１は１回目番号入力に反映する処理を行う。数値を１回押下するごとに１回目宛先電話番号入力領域５０３の表示及びＲＡＭ１０２に保持する１回目宛先電話番号に１桁づつ追加して反映する。スタートを押下すれば以後宛先電話番号に追加せず、１回目宛先電話番号が確定してＦＡＸ送信スタート指示が行われたことをＲＡＭ１０２に保持する。クリアを押下すれば今まで入力した１回目宛先宛先番号の表示を消去し、かつＲＡＭ１０２に保持する１回目宛先電話番号を消去し、１回目入力桁数を０にする。そしてステップＳ８０３へ移行する。
【００６７】
Ｓ８０３では、ＣＰＵ１０１は前記Ｓ８０２で保持した１回目宛先電話番号の入力桁数がのちに説明するＳ８０７で保持する２回目宛先番号の入力桁数より大きいかを判定する。１回目宛先電話番号の入力桁数が２回目宛先番号の入力桁数より大きい場合、ステップＳ８０６へ移行する。そうでなければステップＳ８０４へ移行する。
【００６８】
Ｓ８０４では、ＣＰＵ１０１は前記Ｓ８０２で追加した１回目宛先電話番号の最後の数値とのちに説明するＳ８０７で保持されている２回目宛先番号の内、同じ桁の数値が一致するかを判定する。一致していれば、警告は不要なのでステップＳ８０６へ移行する。そうでなければステップＳ８０５へ移行する。
【００６９】
Ｓ８０５は本実施例で特徴となるステップで、ＣＰＵ１０１は警告音をスピーカから鳴らす。図７に示すように前記Ｓ８０２で追加した１回目宛先電話番号の最後の数値とのちに説明するＳ８０７で保持されている２回目宛先番号の内、同じ桁の数値が不一致ならステップＳ８０５に移行してくるのでユーザに通知することができる。また不一致の数値の色を他の数値と異なる色（例えば赤色）で表示するよう構成しても良い。そしてステップＳ８０６へ移行する。
【００７０】
Ｓ８０６では、ＣＰＵ１０１はオプションテンキー入力があったかを判定する。オプションテンキー入力があったと判断するとステップＳ８０７へ移行する。そうでなければ、ステップＳ８１１へ移行する。
【００７１】
Ｓ８０７では、ＣＰＵ１０１は２回目番号入力に反映する処理を行う。数値を１回押下するごとに２回目宛先電話番号入力領域５０３の表示及びＲＡＭ１０２に保持する２回目宛先電話番号に１桁づつ追加して反映する。スタートを押下すれば以後宛先電話番号に追加せず、２回目宛先電話番号が確定してＦＡＸ送信スタート指示が行われたことをＲＡＭ１０２に保持する。クリアを押下すれば今まで入力した２回目宛先宛先番号の表示を消去し、かつＲＡＭ１０２に保持する２回目宛先電話番号を消去し、２回目入力桁数を０にする。そしてステップＳ８０８へ移行する。
【００７２】
Ｓ８０８では、ＣＰＵ１０１は前記Ｓ８０７で保持する２回目宛先番号の入力桁数が前記Ｓ８０２で保持した１回目宛先電話番号の入力桁数より大きいかを判定する。２回目宛先電話番号の入力桁数が１回目宛先番号の入力桁数より大きい場合、ステップＳ８１１へ移行する。そうでなければステップＳ８０９へ移行する。
【００７３】
Ｓ８０９では、ＣＰＵ１０１は前記Ｓ８０７で追加した２回目宛先電話番号の最後の数値と前記Ｓ８０２で保持されている１回目宛先番号の内、同じ桁の数値が一致するかを判定する。一致していれば、警告は不要なのでステップＳ８１１へ移行する。そうでなければステップＳ８１０へ移行する。
【００７４】
Ｓ８１０は本実施例で特徴となるステップで、ＣＰＵ１０１は警告音をスピーカから鳴らす。図７に示すように１回目宛先電話番号の最後の数値と２回目宛先番号の最後の数値が不一致ならステップＳ８１０に移行してくるのでユーザに通知することができる。また不一致の数値の色を他の数値と異なる色（例えば赤色）で表示するよう構成しても良い。そしてステップＳ８１１へ移行する。
【００７５】
Ｓ８１１では、ＣＰＵ１０１はユーザからスタート指示があったかを判定する。１人目のユーザはタッチパネル１５２よりスタート指示を行い、２人目のユーザはオプションテンキー１１０よりスタート指示を行うことで１回目と２回目の宛先番号入力が終了したと判定する。あるいはどちらかのユーザがスタート指示を行った時点で１回目と２回目の宛先番号入力が終了したと判定するよう構成しても良い。あるいはタッチパネル１５２よりスタート指示を行った時点で１回目と２回目の宛先番号入力が終了したと判定するよう構成しても良い。あるいはオプションテンキー１１０よりスタート指示を行った時点で１回目と２回目の宛先番号入力が終了したと判定するよう構成しても良い。ユーザもしくはサービスマンが操作部１５０より、これら上記の宛先番号入力終了の判定条件を設定して、ＨＤＤ１０５に保存する構成としても良い。オプションテンキー１１０にスタート指示のキーが無い場合、自動的にタッチパネル１５２よりスタート指示を行った時点で１回目と２回目の宛先番号入力が終了したと判定するよう構成しても良い。ＣＰＵ１０１はスタート指示があったと判断すると、図２に示すステップＳ２１３へ移行する。そうでなければ、ステップＳ８０１へ移行する。
【００７６】
図２に示すステップＳ２１３では、ＣＰＵ１０１はＦＡＸ送信の宛先電話番号入力２回入力処理を終了する。そして、ＲＡＭ１０２に保持した２回分の宛先電話番号を比較し一致すれば上記宛先電話番号へＦＡＸ送信を行う。もし一致しなければＵＩに不一致警告を表示し、ＦＡＸ送信は行わない。
【００７７】
以上の処理により、不一致となったことを警告音でユーザは区別しやすくなり、操作性に優れた画像形成装置を提供することができる。
【実施例５】
【００７８】
次に、本発明における第５の実施系について、図９に示すＵＩの一例と図２のＣＰＵ１０１の処理フローチャートをもとに説明する。
【００７９】
第５の実施系では図２のフローチャートは同一であるので、説明を省略する。第５の実施系で特徴となる図９に示すＵＩの一例について説明する。
【００８０】
Ｓ２０５では、ＣＰＵ１０１はＦＡＸ送信の宛先電話番号入力２回入力モードでのソフトテンキー及びオプションテンキー同時番号入力処理を有効化して以後の処理を行う。その際、実施例５では図９のようにソフトテンキー入力があった時Ｓ２１５で同時に入力音１（例えば３ｋＨｚ）をスピーカから鳴らす。そしてオプションテンキーで入力があった時、Ｓ２１７で同時に入力音２（例えば４ｋＨｚ）をスピーカから鳴らすよう制御することを特徴とする。また入力音１の代わりに入力した数値を人の男性の声、入力音２の代わりに入力した数値を人の女性の声でスピーカから鳴らすよう構成しても良い。各自ユーザの入力に応じて異なる入力音や音声が鳴るため、各自が入力したことを容易に認識でき、操作しやすくなる。
【００８１】
以上の処理により、操作性に優れた画像形成装置を提供することができる。
【実施例６】
【００８２】
次に、本発明における第６の実施系について、図１０に示すＵＩの一例と図２のＣＰＵ１０１の処理フローチャートをもとに説明する。
【００８３】
第６の実施系ではフローチャートは同一であるので、説明を省略する。第６の実施系で特徴となる図１０に示すＵＩの一例について説明する。
【００８４】
Ｓ２０５では、ＣＰＵ１０１はＦＡＸ送信の宛先電話番号入力２回入力モードでのソフトテンキー及びオプションテンキー同時番号入力処理を有効化して以後の処理を行う。その際、実施例５では図９のようにソフトテンキーで入力があった時、最初に１回だけ「タッチパネル入力番号を音声で通知します。」と通知した後、入力された数値の音声（例えば「０」）をスピーカから鳴らす。そしてオプションテンキーで入力があった時、入力音２をスピーカから鳴らすよう制御することを特徴とする。ソフトテンキーとオプションテンキーで同時に入力した際、２つ手段で入力した数値をすべて音声でスピーカから鳴らすと、音声が混ざってしまうためである。片方は入力した数値を音声で通知し、片方は通知音だけ鳴らすことで、各自が入力したことを容易に認識でき、操作しやすくなる。
【００８５】
以上の処理により、操作性に優れた画像形成装置を提供することができる。
【符号の説明】
【００８６】
１０  画像形成装置、１０１  ＣＰＵ、１１０  オプションテンキー、
１５２  タッチパネル、５０３  １回目宛先電話番号入力領域、
５０４  ２回目宛先電話番号入力領域、６０４  ソフトテンキー
【図１】
2020188327.tif 000003
【図２】
2020188327.tif 000004
【図３】
2020188327.tif 000005
【図４】
2020188327.tif 000006
【図５】
2020188327.tif 000007
【図６】
2020188327.tif 000008
【図７】
2020188327.tif 000009
【図８】
2020188327.tif 000010
【図９】
2020188327.tif 000011
【図１０】
2020188327.tif 000012
【図１１】
2020188327.tif 000013
【図１２】
2020188327.tif 000014